(57)【要約】【課題】四方弁の切替位置が適正であるか否かの誤判断を防止することができ、正確な加熱能力を求めることができるヒートポンプ熱源機を提供する。【解決手段】冷媒を圧縮する圧縮機と、圧縮された冷媒を凝縮して液化させる放熱側熱交換器と、液化された冷媒を蒸発させる吸熱側熱交換器と、液媒体が貯められる貯液部と放熱側熱交換器との間で液媒体が循環される配管と、配管における放熱側熱交換器の入口側に設けられた入口側温度検出部と、配管における放熱側熱交換器の出口側に設けられた出口側温度検出部と、入口側温度検出部で検出された液媒体の入口側温度と出口側温度検出部で検出された液媒体の出口側温度とに基づき、入口側温度と出口側温度とを平均化して同じにする補正値を演算する手段と、を有し、補正値を演算した後は、入口側温度と出口側温度とを補正値で補正した補正済入口側温度と補正済出口側温度とを用いてその後の演算を行うようにした。【選択図】図２
2016033438.tif 000002
【特許請求の範囲】
【請求項１】
冷媒を圧縮する圧縮機と、
圧縮された前記冷媒を凝縮して液化させる放熱側熱交換器と、
液化された前記冷媒を蒸発させる吸熱側熱交換器と、
液媒体が貯められる貯液部と前記放熱側熱交換器との間で前記液媒体が循環される配管と、
前記配管における前記放熱側熱交換器の入口側に設けられて前記液媒体の温度を検出する入口側温度検出部と、
前記配管における前記放熱側熱交換器の出口側に設けられて前記液媒体の温度を検出する出口側温度検出部と、
前記入口側温度検出部で検出された前記液媒体の入口側温度と前記出口側温度検出部で検出された前記液媒体の出口側温度とに基づき、前記入口側温度と前記出口側温度とを平均化して同じにする補正値を演算する手段と、を有し、
前記補正値を演算した後は、前記入口側温度と前記出口側温度とを前記補正値で補正した補正済入口側温度と補正済出口側温度とを用いてその後の演算を行うようにしたことを特徴とするヒートポンプ熱源機。
【請求項２】
前記補正値を演算した後の所定時間経過後において、前記補正済出口側温度が前記補正済入口側温度より低い場合には、前記圧縮機で圧縮された冷媒の流れ方向を切替える四方弁の切替位置が適正でないことを報知する非適正報知部と、前記圧縮機の運転を停止させる手段とを備えることを特徴とする請求項１記載のヒートポンプ熱源機。
【請求項３】
前記液媒体の循環流量を入力する循環流量入力部と、入力した循環流量と前記補正済入口側温度と前記補正済出口側温度とに基づいて加熱能力を演算する手段と、演算した加熱能力を表示すると加熱能力表示部とを備えることを特徴とする請求項１又は２記載のヒートポンプ熱源機。
【発明の詳細な説明】
【技術分野】
【０００１】
本発明の実施形態は、加温水等の液媒体を加熱するヒートポンプ熱源機に関する。
【背景技術】
【０００２】
従来、冷媒を圧縮する圧縮機と、圧縮した冷媒を凝縮して液化させることにより放熱する放熱側熱交換器と、液化された冷媒を蒸発させることにより吸熱する吸熱側熱交換器とを備え、加温水等の液媒体を放熱側熱交換器を経由して循環させることにより、その液媒体を放熱側熱交換器から放熱される熱で加熱するようにしたヒートポンプ熱源機が知られている（例えば、下記特許文献１参照）。
【０００３】
このようなヒートポンプ熱源機には、放熱側熱交換器を経由して循環する液媒体の配管における放熱側熱交換器への入口側と出口側とに温度検出部（入口側温度検出部、出口側温度検出部）が設けられ、これらの入口側温度検出部と出口側温度検出部で検出した液媒体の温度（入口側温度、出口側温度）を用いて各種の判断や演算を行うようにしている。
【０００４】
入口側温度と出口側温度とを用いて行う判断としては、例えば、冷媒の流れ方向を切替える四方弁の切替位置が適正であるか否かの判断が挙げられる。また、入口側温度と出口側温度とを用いて行う演算としては、ヒートポンプ熱源機の液媒体を加熱する能力の演算が挙げられる。
【先行技術文献】
【特許文献】
【０００５】
【特許文献１】特許第５２５６４６２号公報
【発明の概要】
【発明が解決しようとする課題】
【０００６】
しかしながら、従来のヒートポンプ熱源機では、入口側温度検出部で検出した入口側温度と、出口側温度検出部で検出した出口側温度とをそのまま用いて様々な判断や演算を行っている。
【０００７】
このため、入口側温度検出部と出口側温度検出部とにおいて、個々の部品精度のバラツキや組付精度のバラツキ等により、検出された入口側温度と出口側温度とが実際の温度と誤差を生じる場合がある。そして、検出された入口側温度と出口側温度とが実際の温度と誤差が生じ、出口側温度が入口側温度より低いと検出された場合には、四方弁の切替位置が適正でないと誤判断されることがある。また、検出された入口側温度と出口側温度とが実際の温度と誤差が生じると、入口側温度と出口側温度とを用いて行うヒートポンプ熱源機の加熱能力の演算が正確に行われない。
【０００８】
本発明の実施形態の目的は、四方弁の切替位置が適正であるにも関わらず適正でないとする誤判断を防止することができ、また、正確な加熱能力を求めることができるヒートポンプ熱源機を提供することである。
【課題を解決するための手段】
【０００９】
実施形態のヒートポンプ熱源機は、冷媒を圧縮する圧縮機と、圧縮された冷媒を凝縮して液化させる放熱側熱交換器と、液化された冷媒を蒸発させる吸熱側熱交換器と、液媒体が貯められる貯液部と放熱側熱交換器との間で液媒体が循環される配管と、配管における放熱側熱交換器の入口側に設けられて液媒体の温度を検出する入口側温度検出部と、配管における放熱側熱交換器の出口側に設けられて液媒体の温度を検出する出口側温度検出部と、入口側温度検出部で検出された液媒体の入口側温度と出口側温度検出部で検出された液媒体の出口側温度とに基づき、入口側温度と出口側温度とを平均化して同じにする補正値を演算する手段と、を有し、補正値を演算した後は、入口側温度と出口側温度とを補正値で補正した補正済入口側温度と補正済出口側温度とを用いてその後の演算を行うようにしたことを特徴とする。
【図面の簡単な説明】
【００１０】
【図１】一実施形態のヒートポンプ熱源機を含む加温システムの構成図である。
【図２】ヒートポンプ熱源機により加温水を加熱する場合の制御について説明するフローチャートである。
【発明を実施するための形態】
【００１１】
以下、実施形態について図面に基づいて説明する。図１は加温システムの構成図であり、この加温システムは、ヒートポンプ熱源機１と、ヒートポンプ熱源機１により目的の温度に加熱された液媒体である加温水が貯められる貯液部である恒温槽２とを備えている。恒温槽２に貯められた加温水は、配管３を経由して加温水を必要とする装置、例えば、床暖房装置や、チョコレートを溶かした状態に維持する湯煎装置等に供給される。
【００１２】
ヒートポンプ熱源機１は、制御部４と、冷媒を圧縮する圧縮機５と、圧縮された冷媒の流れ方向を切替える四方弁６と、圧縮された冷媒が凝縮されて液化される放熱側熱交換器７と、液化された冷媒を膨張させる膨張弁８と、膨張した冷媒を蒸発させる吸熱側熱交換器９とを備えている。吸熱側熱交換器９の近傍には、周囲の空気を吸熱側熱交換器９に向けて送風することにより冷媒の蒸発を促進させる送風ファン１０が設けられている。
【００１３】
放熱側熱交換器７と恒温槽２との間には、加温水が流れる配管１１が接続されている。配管１１の途中には、放熱側熱交換器７と恒温槽２との間で加温水を循環させる循環ポンプ１２が設けられている。配管１１における放熱側熱交換器７に加温水が流入する入口側には、放熱側熱交換器７に流入する加温水の温度を検出する入口側温度検出部１３が設けられている。配管１１における放熱側熱交換器７から加温水が流出する出口側には、放熱側熱交換器７から流出する加温水の温度を検出する出口側温度検出部１４が設けられている。
【００１４】
制御部４は、ヒートポンプ熱源機１の各部の制御や入力されたデータに基づいて各種の演算を行う部分であり、この制御部４には、圧縮機５、四方弁６、膨張弁８、送風ファン１０、入口側温度検出部１３、出口側温度検出部１４等が接続されている。さらに、制御部４には、加温水の循環流量を入力する循環流量入力部１５と、四方弁６の切替位置が適正でないことを報知する非適正報知部であるとともに、ヒートポンプ熱源機１の加熱能力を表示する加熱能力表示部である表示部１６が設けられている。
【００１５】
このような構成において、この加温システムにおいては、恒温槽２内の加温水を加熱する加熱運転時には、四方弁６は圧縮機５で圧縮された冷媒が放熱側熱交換器７内に供給される位置（暖房位置）に切替えられる。そして、圧縮機５で圧縮された冷媒は矢印で示すように流れ、放熱側熱交換器７、膨張弁８、吸熱側熱交換器９を経由して圧縮機５に戻る。
【００１６】
このように冷媒が流れる過程において、圧縮機５で圧縮されて高温となった冷媒が放熱側熱交換器７内において凝縮されて液化することにより放熱され、放熱された熱により放熱側熱交換器７内を経由して循環する加温水が加熱される。
【００１７】
加温水が流れる配管１１には、放熱側熱交換器７の入口側に位置して入口側温度検出部１３が設けられ、放熱側熱交換器７の出口側に位置して出口側温度検出部１４が設けられ、これらの入口側温度検出部１３と出口側温度検出部１４で検出された加温水の温度により圧縮機５がオン・オフされ、加温水が目的とする温度に維持される。
【００１８】
つぎに、加温水を加熱する場合の制御について図２のフローチャートに基づいて説明する。
【００１９】
まず、ヒートポンプ熱源機１の始動スイッチが操作者によってオンされることにより、制御部４において運転オン指令が検知され（ステップＳ１）、制御部４からの指令により四方弁６が暖房位置に切替えられ（ステップＳ２）、制御部４からの指令により圧縮機５がオンされる（ステップＳ３）。
【００２０】
ステップＳ３で圧縮機５がオンされた後の所定時間経過後、入口側温度検出部１３で検出された加温水の入口側温度“ＴＡ”と出口側温度検出部１４で検出された加温水の出口側温度“ＴＢ”とが、“ＴＢ≧ＴＡ”であるか否かが制御部４において判断される（ステップＳ４）。
【００２１】
ステップＳ４において“ＹＥＳ”と判断された場合は、加温水の温度（例えば、入口側温度“ＴＡ”）が目標温度に上昇した場合にサーモオフされる（ステップＳ５）。ここで、サーモオフとは、加温水の温度が目標温度に上昇した場合に制御部４によりヒートポンプ熱源機１の運転が停止されることを意味する。
【００２２】
ステップＳ５でサーモオフされた後、入口側温度検出部１３で検出された入口側温度“ＴＡ”と出口側温度検出部１４で検出された出口側温度“ＴＢ”とに基づき、入口側温度“ＴＡ”と出口側温度“ＴＢ”とを平均化して同じにする補正値“α”が制御部４において演算される（ステップＳ６）。補正値“α”は、“｜ＴＡ−ＴＢ｜／２”の演算式により求められる。
【００２３】
補正値“α”が演算された後は、入口側温度“ＴＡ”と出口側温度“ＴＢ”とを補正値“α”で補正した補正済入口側温度“ＴＡ´”と補正済出口側温度“ＴＢ´”とが制御部４において演算される（ステップＳ７）。この場合の“ＴＡ´”、“ＴＢ´”は、ステップＳ４の“ＹＥＳ”で示したように入口側温度“ＴＡ”と出口側温度“ＴＢ”とが、“ＴＢ≧ＴＡ”の関係であるので、“ＴＡ´＝ＴＡ＋α”、“ＴＢ´＝ＴＢ−α”の演算式により求められる。
【００２４】
補正済入口側温度“ＴＡ´”と補正済出口側温度“ＴＢ´”とが求められた後は、これらの補正済入口側温度“ＴＡ´”と補正済出口側温度“ＴＢ´”とを用いてサーモオン（ステップＳ８）とサーモオフ（ステップＳ９）とが制御部４により繰り返される。ここで、サーモオンとは、サーモオフに伴い加温水の温度が目標温度まで下降した場合に停止されていたヒートポンプ熱源機１の運転を再開させることを意味する。
【００２５】
一方、ステップＳ４において“ＮＯ”と判断された場合は、四方弁６の切替位置が冷房位置である（適正な位置でない）と制御部４により判断され（ステップＳ１０）、制御部４により圧縮機５がオフされる（ステップＳ１１）。
【００２６】
ステップＳ１１において圧縮機５がオフされた後、入口側温度検出部１３で検出された入口側温度“ＴＡ”と出口側温度検出部１４で検出された出口側温度“ＴＢ”とに基づき、入口側温度“ＴＡ”と出口側温度“ＴＢ”とを平均化して同じにする補正値“α”が制御部４において演算される（ステップＳ１２）。補正値“α”は、｜ＴＡ−ＴＢ｜／２の演算式により求められる。
【００２７】
補正値“α”が演算された後は、入口側温度“ＴＡ”と出口側温度“ＴＢ”とを補正値“α”で補正した補正済入口側温度“ＴＡ´”と補正済出口側温度“ＴＢ´”とが制御部４において演算される（ステップＳ１３）。この場合の“ＴＡ´”、“ＴＢ´”は、ステップＳ４のＮＯで示したように入口側温度“ＴＡ”と出口側温度“ＴＢ”とが、“ＴＢ＜ＴＡ”の関係であるので、“ＴＡ´＝ＴＡ−α”、“ＴＢ´＝ＴＢ＋α”の演算式により求められる。
【００２８】
ステップＳ１３において“ＴＡ´”、“ＴＢ´”が演算された後、制御部４により圧縮機５がオンされる（ステップＳ１４）。
【００２９】
ステップＳ１４で圧縮機５がオンされた後の所定時間経過後、補正済入口側温度“ＴＡ´）と補正済出口側温度（ＴＢ´）とが、“ＴＢ´≧ＴＡ´”であるか否かが制御部４において判断される（ステップＳ１５）。
【００３０】
ステップＳ１５において“ＹＥＳ”と判断された場合は、補正後の加温水の温度（例えば、補正済入口側温度“ＴＡ´”）が目標温度に上昇した場合にサーモオフされる（ステップＳ１６）。その後、補正済入口側温度“ＴＡ´”と補正済出口側温度“ＴＢ´”とを用いてサーモオン（ステップＳ８）とサーモオフ（ステップＳ９）とが制御部４により繰り返される。
【００３１】
一方、ステップＳ１５において“ＮＯ”と判断された場合は、再び四方弁６の切替位置が冷房位置である（適正な位置でない）と制御部４において判断され（ステップＳ１７）、四方弁６の切替位置が適正な位置でないことの報知（異常報知）が表示部１６において行われ（ステップＳ１８）、圧縮機５が制御部４によりオフされる（ステップＳ１９）。
【００３２】
ここで、入口側温度検出部１３と出口側温度検出部１４とは、個々の部品精度のバラツキや組付精度のバラツキ等により、検出温度が誤差を生じる場合がある。そして、入口側と出口側との温度差が小さい場合には、四方弁６が暖房位置に切替えられている場合であっても、入口側温度検出部１３が検出した入口側温度“ＴＡ”が出口側温度検出部１４で検出した出口側温度“ＴＢ”より高いという場合が生じる。このような場合には、四方弁６が正しく暖房位置に切替えられていても、四方弁６が冷房位置に切替えられていると誤判断されることになる。
【００３３】
しかし本実施形態では、入口側温度検出部１３で検出した入口側温度“ＴＡ”と出口側温度検出部１４で検出した出口側温度“ＴＢ”とを平均化して同じにする補正値“α”を演算し（図２のステップＳ６、Ｓ１２）、この補正値“α”で補正した補正済入口側温度“ＴＡ´”と補正済出口側温度“ＴＢ´”とを用いてその後の演算を行うため、入口側温度検出部１３と出口側温度検出部１４とに個々の部品精度のバラツキや組付精度のバラツキ等があったとしても、四方弁６が暖房位置に切替えられている場合には、“ＴＢ´≧ＴＡ´”と検出されるようになり、四方弁６の切替位置の誤判断を防止することができるようになる。
【００３４】
一方、四方弁６が冷房位置に切替えられている場合には、“ＴＢ´＜ＴＡ´”となるので、四方弁６が冷房位置に切替えられていることを確実に判断することができる（図２のステップＳ１５、Ｓ１７）。そして、四方弁６が冷房位置に切替えられていると判断された場合には、四方弁６の切替位置が適正でないことが表示部１６に表示され（図２のステップＳ１８）、圧縮機５がオフとなるので（図２のステップＳ１９）、四方弁６が冷房位置に切替えられた状態のままヒートポンプ熱源機１の運転を続行するということを防止することができる。操作者は、表示部１６の表示を見ることにより、四方弁６の切替位置が適正でないためにヒートポンプ熱源機１の運転が停止されたことを知ることができる。
【００３５】
また、このヒートポンプ熱源機１には、加温水の循環流量を入力する循環流量入力部１５が設けられており、入力した循環流量と、補正済入口側温度“ＴＡ´”と、補正済出口側温度“ＴＢ´”とに基づいて演算することにより、ヒートポンプ熱源機１の正確な加熱能力を求めることができる。求まった加熱能力は表示部１６に表示されるので、操作者は表示部１６の表示を見ることによりヒートポンプ熱源機１を含む加温システムの運転状態を正確に把握することができる。
【００３６】
なお、本実施の形態では、四方弁６の切替位置が適正でないことを報知する非適正報知部として視覚を通じて報知する表示部１６を例に挙げて説明したが、非適正報知部としては音声により報知するブザーなどであってもよい。
【００３７】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３８】
１…ヒートポンプ熱源機、２…恒温槽（貯液部）、５…圧縮機、７…放熱側熱交換器、９…吸熱側熱交換器、１１…配管、１３…入口側温度検出部、１４…出口側温度検出部、１５…循環流量入力部、１６…表示部（非適正報知部、加熱能力表示部）
【図１】
2016033438.tif 000003
【図２】
2016033438.tif 000004